【事件の表示】
　平成６年特許願第１０６８５５号「放電型サージアブソーバ」拒絶査定不服審判事件〔平成７年１２月　８日出願公開、特開平７−３２０８４５〕について、次のとおり審決する。
【結　論】
　本件審判の請求は、成り立たない。
【理　由】
１．手続の経緯・本願発明
　本願は、平成６年５月２０日の出願であって、平成１３年１１月２９日付けで拒絶査定がなされ、これに対し、同年１２月２８日に拒絶査定に対する審判請求がなされるとともに、平成１４年１月２８日付けで手続補正がなされたものである。
　　　　　　
２．平成１４年１月２８日付けの手続補正についての補正却下の決定
［補正却下の決定の結論］
　平成１４年１月２８日付けの手続補正を却下する。
［理由］
（１）補正後の本願発明
　本件補正により、特許請求の範囲の請求項１は、
「【請求項１】　導電性皮膜(14a)で被包した円柱状のセラミック素体(14)の周面にマイクロギャップ(14b)が形成され、前記セラミック素体(14)の両端に一対のキャップ電極(16,17)を有するサージ吸収素子(13)が不活性ガス(12a)とともにガラス管(12)内に収容され、前記ガラス管(12)の両端に一対の封止電極(18,19)が相対向して封着され、前記一対の封止電極(18,19)が封着状態で前記サージ吸収素子(13)を固定し、かつ前記一対のキャップ電極(16,17)に電気的に接続された放電型サージアブソーバにおいて、
　前記導電性皮膜(14a)がＳｎＯ2であって前記不活性ガス(12a)がＣＯ2ガスであり、
　導電性及び耐熱性を有する板材のプレス加工により前記キャップ電極(16,17)と一体的に形成されたフランジ部(16a,17a)が前記キャップ電極(16,17)の外面に前記ガラス管(12)の内面に向って延びるように突設され、
　前記キャップ電極(16,17)が前記フランジ部(16a,17a)とともに略ハット状に形成され、
　前記フランジ部(16a,17a)が前記セラミック素体(14)を前記ガラス管(12)の半径方向に対して中央に位置させるように構成された
　ことを特徴とする放電型サージアブソーバ。」
と補正された。
　上記補正は、補正前の請求項１に記載した発明を特定するために必要な事項である「キャップ電極(16,17)」について「キャップ電極(16,17)がフランジ部(16a,17a)とともに略ハット状に形成され、」と具体的にする限定を付加するものであって、平成６年改正前特許法第１７条の２第３項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成６年改正前特許法第１７条の２第４項において読み替えて準用する同法第１２６条第３項の規定に適合するか）について以下に検討する。
　　　　　　
（２）引用刊行物
　原査定の拒絶の理由に引用文献１として引用された特公平５−４７９３号公報（以下、引用例１という。）には、次の事項が記載されている。
（ａ）「第２図に示すマイクロギャップ式のサージ吸収素子は、このようにサージ電圧の吸収特性の面からは極めて優れているものであるにもかかわらず、その構造上、次のような問題点を有していた。
｛１｝（注：原文では○の中に１）セラミックス素子１４を外装体１７内に固定する際、素子１４と外装体１７との位置決めが難しく、組立て時に外装体１７の中央の軸心線上に配置して素子１４の周囲に均等に空間１８を設けることが容易ではない。」（第１頁右欄第２４行〜第２頁左欄第７行）
（ｂ）「本発明の円筒型サージ吸収素子１は、柱状のセラミックス絶縁体２の表面に、絶縁溝３を有する導電性皮膜４を形成してなるセラミックス素子５が円筒形の絶縁性外装体６に内装されており、セラミックス素子５の両端には、外装体６の内径とほぼ等しい外径を有する導電性キャップ７が蓋着されている。しかして、外装体６の筒軸方向両端側には円盤形の電極８が導電性キャップ７に当接して配設されている。導電性皮膜４は、セラミックス絶縁体２の外周面及び両端面を被覆するように形成され、絶縁溝３は、セラミックス絶縁体２の外周面を周回して絶縁体２を周回線状に露出させる線状露出部であり、導電性皮膜４を複数個（図では２個）に分割する放電ギャップである。セラミックス素子５は、外装体６の内部に同軸的に配置され、外装体６の内周面とセラミックス素子５の外面とは離隔されている。」（第２頁右欄第５〜第２１行）
（ｃ）「絶縁体２、外装体６、導電性キャップ７の形状には制限はないが、通常は円柱形または円筒形状とするのが好ましい。
　このようなセラミックス絶縁体２の表面に形成する導電性皮膜４としては、銀等の金属製皮膜、その他導電性のセラミックス皮膜が採用される。導電性セラミックスとしては、導電性金属酸化物及び侵入型窒化物を含む導電性セラミックスが挙げられ、導電性金属酸化物としては、ＳｎＯ２、Ｎｂ２Ｏ３、ＭｏＯ３、ＷＯ２等が好適である。」（第２頁右欄第３０〜第３９行）
（ｄ）「絶縁溝３は通常レーザー加工により形成され、…（中　略）…。特に、ＹＡＧレーザーは安全性が高く好適である。
　このようなセラミックス素子５に蓋着する導電性キャップ７は外装体６の内径とほぼ等しいか若干小さい外径を有するものであれば良く、その形状は図示のものに限られない。また、導電性キャップ７の材質は導電性セラミックスの他、金属等の導電性物質が採用される。
　この導電性キャップ７はセラミックス素子５の外装体内の位置決めを容易にし、しかも放電に必要な空間１０の十分に確保し、サージ耐量等の電気的特性を向上させる作用を有する。」（第３頁左欄第１３〜第２７行）
（ｅ）「外装体６としては通常ガラス等の絶縁性物質が採用される。電極８としては、ジュメット、コバール等が用いられる。
　本発明のサージ吸収素子１はセラミックス素子５の両端に導電性キャップ７を蓋着させたものを円筒状の外装体６に挿入し、外装体６の両端に円盤形の電極８をキャップ７に当接するように嵌め込んで封入することにより、セラミックス素子を外装体内に位置決めするに際し、煩雑な操作を要することなく容易に組立てることができる。
　なお、この場合、封入ガスとしては、希ガス及び窒素ガスよりなる群の中から選ばれた少なくとも一種のガスを使用する。」（第３頁左欄第３３行〜右欄第１行）
（ｆ）図面の第１図には、円筒形サージ吸収素子の実施例の断面図が示されており、キャップ電極７の内側形状がセラミックス素子５と蓋着関係となる形状であり、外側形状が略半球状とされていることが示されている。
（ｇ）上記（ａ）〜（ｅ）の記載事項及び上記（ｆ）の図示内容を総合すると、引用例１には、次の発明（以下、「引用発明」という。）が記載されているものと認められる。
「円柱状のセラミック絶縁体２の表面に絶縁溝３を有する導電性皮膜４を被覆してなるセラミックス素子５が円筒形のガラスからなる絶縁性外装体６に内装されており、前記セラミックス絶縁体２の両端に一対の導電性キャップ７が蓋着されており、前記セラミックス素子５の両端に一対の導電性キャップ７を蓋着したものを前記円筒形のガラスからなる絶縁性外装体６に挿入し、前記円筒形のガラスからなる絶縁性外装体６の両端に一対の電極８を前記一対の導電性キャップ７に当接するように嵌め込んで封入することにより、セラミックス素子５を前記円筒形のガラスからなる絶縁性外装体６に位置決めしてなるサージ吸収素子１において、
　前記導電性皮膜４がＳｎＯ2であって、封入ガスとして希ガス及び窒素ガスよりなる群の中から選ばれた少なくとも一種のガスよりなる群の中から選ばれた少なくとも一種のガスを使用するものであり、前記絶縁溝３は、前記セラミックス絶縁体２の外周面を周回して前記絶縁体２を周回線状に露出させる線状露出部であり、導電性皮膜４を２個に分割する放電ギャップであり、前記一対の導電性キャップ７は、前記セラミックス素子５の前記円筒形のガラスからなる絶縁性外装体６内の位置決めを容易にするものであって、金属等の導電性物質からなり、前記円筒形のガラスからなる絶縁性外装体６の内径とほぼ等しい外径を有し、内側形状がセラミックス素子５と蓋着関係となる形状であり、外側形状が略半球状とされ、前記セラミックス素子５は、前記円筒形のガラスからなる絶縁性外装体６の内部に同軸的に配置されているサージ吸収素子１。」
　また、原査定の拒絶の理由に引用文献２として引用された特開昭５９−１５７９８１号公報（以下、引用例２という。）には、次の事項が記載されている。
（ｈ）「第４図は本発明の一実施例に係る電子回路保護素子（サージアブソーバ）を示すものであり、第４図（Ａ）に示す如く、電子回路保護素子１は、基体としての高抵抗素子２の外周両端に、外部引出し線３、３′を導出した一対の電極４、４′を所定の間隔ｄを隔てて対向させ、接触抵抗が小さくなるように嵌着し、これをガラス等よりなる真空容器５内に収容した構造になっており、更に容器５の内部にＨｅ、Ｎｅ、Ａｒ等の希ガス、窒素ガス、若しくは炭酸ガス等の単体又は複合体のガス媒体６を封入している。」（第２頁右下欄第７〜第１７行）
（３）対比
　そこで、本願補正発明と引用発明とを比較すると、後者の「円柱状のセラミックス絶縁体２」はその機能及び構成からみて、前者の「円柱状のセラミック素体(14)」に相当し、以下同様に、「絶縁溝３」は「マイクロギャップ(14b)」に、「導電性皮膜４」は「導電性皮膜(14a)」に、「被覆」は「被包」に、「円筒形のガラスからなる絶縁性外装体６」は「ガラス管(12)」に、「内装」は「収容」に、「一対の導電性キャップ７」は「一対のキャップ電極(16,17)」に、「蓋着され」は「有する」に、「前記セラミックス素子５の両端に一対の導電性キャップ７を蓋着したもの」は「前記セラミック素体(14)の両端に一対のキャップ電極(16,17)を有するサージ吸収素子(13)」に、「希ガス及び窒素ガスよりなる群の中から選ばれた少なくとも一種のガス」は「不活性ガス(12a)」に、「一対の電極８」は「一対の封止電極(18,19)」に、「前記円筒形のガラスからなる絶縁性外装体６の両端に一対の電極８を前記一対の導電性キャップ７に当接するように嵌め込んで封入」は「前記ガラス管(12)の両端に一対の封止電極(18,19)が相対向して封着」に、「セラミックス素子５を前記円筒形のガラスからなる絶縁性外装体６に位置決め」は「前記一対の封止電極(18,19)が封着状態で前記サージ吸収素子(13)を固定」に、そして「サージ吸収素子１」は「サージアブソーバ」に相当するものと認められる。
　ここで、引用発明は、「前記円筒形のガラスからなる絶縁性外装体６の両端に一対の電極８を前記一対の導電性キャップ７に当接するように嵌め込んで封入する」ものであるから、「一対の導電性キャップ７」と「一対の電極８」が電気的に接続されたものであることも明らかである。
　また、引用発明において、「前記絶縁溝３」は、「導電性皮膜４を２個に分割する放電ギャップ」であるから、引用発明の「サージ吸収素子１」も放電型サージアブソーバの一種のものといえる。
　さらに、引用発明の「導電性キャップ７」の外周部分と本願補正発明の「フランジ部(16a,17a)」は、「外枠部」という概念で共通し、引用発明における、「前記セラミックス素子５は、前記円筒形のガラスからなる絶縁性外装体６の内部に同軸的に配置されている」ことは、本願補正発明における、「前記フランジ部(16a,17a)が前記セラミック素体(14)を前記ガラス管(12)の半径方向に対して中央に位置させるように構成された」ことに相当するから、両者は、「前記キャップ電極(16,17)と一体的に形成された外枠部が前記キャップ電極(16,17)に前記ガラス管(12)の内面に向って延びるように突設され、前記外枠部が前記セラミック素体(14)を前記ガラス管(12)の半径方向に対して中央に位置させるように構成された」点で共通しており、かつ、引用発明の前記外周部分は、金属等の導電性物質からなる「前記導電性キャップ７」とは一体であって、その一部をなすものであるから、導電性及び耐熱性を有することは明らかである。　
　してみると、両者は、
「導電性皮膜(14a)で被包した円柱状のセラミック素体(14)の周面にマイクロギャップ(14b)が形成され、前記セラミック素体(14)の両端に一対のキャップ電極(16,17)を有するサージ吸収素子(13)が不活性ガス(12a)とともにガラス管(12)内に収容され、前記ガラス管(12)の両端に一対の封止電極(18,19)が相対向して封着され、前記一対の封止電極(18,19)が封着状態で前記サージ吸収素子(13)を固定し、かつ前記一対のキャップ電極(16,17)に電気的に接続された放電型サージアブソーバにおいて、
　前記導電性皮膜(14a)がＳｎＯ2であって、導電性及び耐熱性を有し前記キャップ電極(16,17)と一体的に形成された外枠部が前記キャップ電極(16,17)に前記ガラス管(12)の内面に向って延びるように突設され、前記外枠部が前記セラミック素体(14)を前記ガラス管(12)の半径方向に対して中央に位置させるように構成された放電型サージアブソーバ。」
で一致し、次の点で相違する。　
（相違点１）
　不活性ガス(12a)が、本願補正発明では、ＣＯ2ガスであるのに対して、引用発明では、希ガス及び窒素ガスよりなる群の中から選ばれた少なくとも一種のガスである点。
（相違点２）
　キャップ電極(16,17)と外枠部の態様が、本願補正発明では、外枠部が、板材のプレス加工により形成されたフランジ部(16a,17a)であって、キャップ電極(16,17)がフランジ部(16a,17a)とともに略ハット状に形成されているものであるのに対し、引用発明では、板材のプレス加工により形成されたフランジ部(16a,17a)であるか否か、導電性キャップ７がその外周部分とともに、略ハット状に形成されているか否かが明らかでない点。
（４）判断
（相違点１）について
　サージアブソーバに使用する不活性ガスとして、ＣＯ2ガスを使用することは、上記引用例２に記載されているように周知技術であり、引用発明において不活性ガス(12a)として上記周知のＣＯ2ガスを採用し相違点１に係る本願補正発明の構成とすることに格別の困難性は認められない。
（相違点２）について
　上記したように、引用発明の導電性キャップ７の構造は、セラミック素子５を絶縁性外装体６の略中央に位置させる機能を有しているものであることは明らかである。
　そして、本願補正発明の放電型サージアブソーバと同様な型式のマイクロギャップ式サージアブソーバーにおいて、本願補正発明のキャップ電極(16,17)と一体的に形成されたフランジ部(16a,17a)のように、キャップ電極と一体的に形成されたつば部がキャップ電極の外面にガラス管の内面に向って延びるように突設され、キャップ電極がつば部とともに導電性及び耐熱性を有する板材からハット状に形成され、つば部がセラミック素体をガラス管の半径方向に対して中央に位置させるように構成することは、特開平３−２１４５８０号公報、特開平５−２４２９５０号公報及び特開平５−２８３１４０号公報に記載されているように周知技術であり、金属板材に凹凸形状を施す加工手段としてプレス加工は慣用の技術手段である。
　したがって、引用発明の導電性キャップ７に上記周知技術を適用し、その際、フランジ部の形成を慣用の技術手段であるプレス加工によって行うことにより相違点２に係る本願補正発明の構成とすることは当業者において容易に想到し得たものといえる。
　また、本願補正発明の奏する作用効果も、引用発明並びに上記周知技術等から当業者が予測できる範囲のものである。
　上記のことから、本願補正発明は、引用発明及び上記周知技術に基いて、当業者が容易に発明をすることができたものであるから、特許法第２９条第２項の規定により特許出願の際独立して特許を受けることができないものである。
（５）むすび
　よって、本件補正は、平成６年改正前特許法第１７条の２第４項で読み替えて準用する同法第１２６条第３項の規定に違反するものであり、特許法第１５９条第１項で読み替えて準用する特許法第５３条第１項の規定により却下されるべきものである。
　　　　　　
３．本願発明について
　平成１４年１月２８日付けの手続補正は上記のとおり却下されたので、本願の請求項１に係る発明（以下、「本願発明」という。）は、平成１３年３月１９日付け手続補正書の特許請求の範囲の請求項１に記載された以下のとおりのものである。
「【請求項１】導電性皮膜(14a)で被包した円柱状のセラミック素体(14)の周面にマイクロギャップ(14b)が形成され、前記セラミック素体(14)の両端に一対のキャップ電極(16,17)を有するサージ吸収素子(13)が不活性ガス(12a)とともにガラス管(12)内に収容され、前記ガラス管(12)の両端に一対の封止電極(18,19)が相対向して封着され、前記一対の封止電極(18,19)が封着状態で前記サージ吸収素子(13)を固定し、かつ前記一対のキャップ電極(16,17)に電気的に接続された放電型サージアブソーバにおいて、
　前記導電性皮膜(14a)がＳｎＯ2であって前記不活性ガス(12a)がＣＯ2ガスであり、
　導電性及び耐熱性を有する板材のプレス加工により前記キャップ電極(16,17)と一体的に形成されたフランジ部(16a,17a)が前記キャップ電極(16,17)の外面に前記ガラス管(12)の内面に向って延びるように突設され、
　前記フランジ部(16a,17a)が前記セラミック素体(14)を前記ガラス管(12)の半径方向に対して中央に位置させるように構成された
　ことを特徴とする放電型サージアブソーバ。」
　
（１）引用刊行物
　原査定の拒絶の理由に引用文献１及び引用文献２として引用された引用刊行物、並びにその記載事項は、前記「２．（２）」に記載したとおりである。
　
（２）対比・判断
　本願発明は、本願補正発明から「キャップ電極(16,17)」の限定事項である「キャップ電極(16,17)がフランジ部(16a,17a)とともに略ハット状に形成され、」との構成を省いたものである。
　そうすると、本願発明の構成要件を全て含み、さらに他の構成要件を付加したものに相当する本願補正発明が、前記「２．（４）」に記載したとおり、引用発明及び上記周知技術に基いて、当業者が容易に発明をすることができたものであるから、本願発明も、同様の理由により、引用発明及び上記周知技術に基いて、当業者が容易に発明をすることができたものである。
　　　　　　
（３）むすび
　以上のとおり、本願発明は、上記引用例１に記載された発明及び上記周知技術に基いて当業者が容易に発明をすることができたものであるから、特許法第２９条第２項の規定により特許を受けることができない。
　よって、結論のとおり審決する。